(57)【特許請求の範囲】
【請求項１】
燃焼エンジン（１８）の下流の排ガス路（１６）に配置された、少なくとも１つの触媒材料（１４）を有する触媒コンバータ装置（１２）を備え、少なくとも一つの還元剤（２２）を収容する第１タンク（４４ａ）、活性化材料を収容する第２タンク（４４）、及び、排ガス（２４）中のＮＯｘ含有量を低減するための少なくとも１つの前記還元剤（２２）を供給するための１以上のドージングインタフェース（２０，２０ａ，２０ｂ）をさらに備え、ＮＯｘを低減するための前記還元剤（２２）は少なくとも一つの炭化水素を含む排気ガス後処理システム（１０）であって、
前記１以上のドージングインタフェース（２０，２０ａ，２０ｂ）が、少なくとも１つの前記活性化材料（２６）を排ガス（２４）に供給するために配置されており、
前記活性化材料（２６）が、少なくとも１つのエーテルタイプの含酸素炭化水素を含み、前記含酸素炭化水素が、トリグリム、ジグリム、モノグリム、ジエチルエーテル（ＤＥＥ）、ジプロピルエーテルから成る群から選択されるエーテルからなり、少なくとも所与の温度範囲において、前記活性化材料（２６）が、前記触媒材料（１４）の触媒活性を、前記活性化材料（２６）が存在しない場合の前記触媒材料（１４）の触媒活性と比較して増大させる、排気ガス後処理システム。
【請求項２】
前記活性化材料（２６）がインジェクタ（３０）を介して注入される請求項１に記載の排気ガス後処理システム。
【請求項３】
前記燃焼エンジン（１８）がディーゼルエンジン（３２）である請求項１又は２に記載の排気ガス後処理システム。
【請求項４】
ＮＯｘ還元のための前記還元剤（２２）が、少なくとも１つの炭化水素、詳細は、燃料、特にはディーゼル燃料（３４）を含む、請求項１乃至３のいずれかに記載の排気ガス後処理システム。
【請求項５】
前記活性化材料（２６）が、前記触媒材料（１４）の触媒活性を、ほぼ２００℃〜５００℃の温度範囲における少なくとも前記排ガス（２４）の温度にて増大させる請求項１乃至４のいずれかに記載の排気ガス後処理システム。
【請求項６】
前記触媒コンバータ装置（１２）が、少なくとも貴金属、好ましくは銀（３６）を触媒材料（１４）として含む請求項１乃至５のいずれかに記載の排気ガス後処理システム。
【請求項７】
フィードバック制御（３８）が、前記排ガス（２４）中のＮＯｘの量に関連して、及び／又は、前記排ガス（２４）及び／若しくは触媒（４２）の温度に関連して、前記排ガス（２４）に供給される還元剤（２２）の量及び／又は活性化材料（２６）の量の調節のために設けられている請求項１乃至６のいずれかに記載の排気ガス後処理システム。
【請求項８】
少なくとも１つのドージングインタフェース（２０ａ）が、前記燃焼エンジン（１８）内部に又は前記燃焼エンジン（１８）に、前記燃焼エンジン（１８）の１以上のシリンダ内への還元剤（２２）のポストインジェクションのために配置され、且つ／又は、少なくとも１つのドージングインタフェース（２０，２０ｂ）が、前記燃焼エンジン（１８）の下流にて、前記排ガス路（１６）上に又は前記排ガス路（１６）に配置されている、請求項１乃至７のいずれかに記載の排気ガス後処理システム。
【請求項９】
請求項１に記載の排気ガス後処理システム（１０）において排ガス（２４）を処理するための方法であって、
前記還元剤（２２）が、少なくとも１個の炭化水素からなり、該還元剤は前記燃焼エンジン（１８）の前記排ガス（２４）中のＮＯｘ含有量を低減するために提供され、
少なくとも１つの前記活性化材料（２６）が、少なくとも１つのエーテルタイプの含酸素炭化水素を含み、前記含酸素炭化水素が、トリグリム、ジグリム、モノグリム、ジエチルエーテル（ＤＥＥ）、ジプロピルエーテルから成る群から選択されるエーテルからなり、該活性化材料（２６）が前記排ガス（２４）中に、前記触媒コンバータ装置（１２）の前記触媒材料（１４）の触媒活性を、少なくとも所与の温度範囲において、前記活性化材料（２６）が存在しない場合の前記触媒材料（１４）の触媒活性と比較して増大させるために加えられ、前記還元剤は前記活性化材料に対して独立した構成要素からなる、前記方法。
【請求項１０】
請求項１乃至８のいずれかに記載の排気ガス後処理システム（１０）を有する車両（４０）。  
【発明の詳細な説明】
【技術分野】
【０００１】
本発明は、排気ガス後処理システム、及び、排気ガス後処理システムにて排気ガスを処理する方法、並びに、排気ガス後処理システムを有する車両に関する。
【背景技術】
【０００２】
自動車市場における今日の規制条件により、現在の車両の燃費を改善し且つ排出物を低減する要求が益々高まっている。これらの規制条件と、車両の高性能及び迅速な応答性（レスポンス）に対する消費者の要求とを両立させる必要がある。
【０００３】
ディーゼルエンジンは、最大で約５２％の効率を有し、従って、化石エネルギーの最良の変換手段である。ＮＯｘの排出濃度（すなわち、窒素酸化物ＮＯ及びＮＯ２の排出量）は、酸素原子の局所濃度及びエンジンの燃焼プロセスの局所温度に依存する。しかし、上記のような高いエンジン効率は、ＮＯｘレベルが必然的に高くなる高温燃焼温度でのみ可能である。
【０００４】
また、内部手段（例えば、特定の空気／燃料比）によるＮＯｘ生成の抑制は、微粒子の増大を生じさせやすい（これはＮＯｘ−微粒子トレードオフとして知られている）。さらに、ディーゼルエンジンからの排気ガス中の酸素過剰が、前世紀の８０年代後半からガソリンエンジン車で使用されているようなＮＯｘ還元のための化学量論的三元触媒技術の使用を妨げる。
【０００５】
炭素微粒子及びＮＯｘは、共に、ディーゼルエンジンの排ガス中の典型的な排出物である。これらの排出物を低減する要求が高まり、排出物低減のための様々な方法が当分野で生み出されている。特許文献１に、煤煙を収集する微粒子フィルタと窒素酸化物還元触媒とを排気管内で組み合わせた排気ガス後処理システムが開示されている。煤煙を除去するために、酸化触媒中でのＮＯ（一酸化窒素）の酸化によりＮＯ２（二酸化窒素）が発生される。微粒子フィルタに収集された煤煙は、ＮＯ２により酸化される。排ガス中の残量ＮＯ及びＮＯ２は、選択的触媒還元（ＳＣＲ）触媒にて、３２％の尿素水溶液をＳＣＲ触媒中に注入することにより窒素ガスに還元される。しかし、この尿素水溶液が大量に必要であり、車両燃料に加え、車両内に積み込まれなくてはならない。さらに、尿素は低温で（例えば−１０℃）で結晶化する場合があり、これにより、インジェクタ又は類似の装置の閉塞の危険性が高まる。
【０００６】
アンモニア又は尿素によるＳＣＲの代わりのシステムとして、燃料からの炭化水素によるＳＣＲがある。車両燃料を還元剤として用いる場合、アンモニア又は尿素によるＳＣＲの場合のような還元剤のための追加の大型タンクを使用せずに済む。しかし、ＮＯｘ変換率は、アンモニア又は尿素によるＳＣＲよりも概して低く、特に、低温状態において低い。また、大量の炭化水素が必要とされる。特許文献２に、水素の添加が、炭化水素によるＮＯｘ変換率を低温状態で高めることが示されている。水素は、車両に積み込まれても、或いは、燃料から抽出されてもよい。しかし、車両内に積み込む場合、水素用の大型のタンクと、おそらく、追加の安全手段とが必要であろう。また、燃料から抽出する場合には、車両内のシステムの再構成が必要であろう。
【０００７】
従って、より少量の材料の配備により動作し、且つ、故障しにくい(failure−sensitive)排気ガス後処理システムを用いることが望ましい。
【先行技術文献】
【特許文献】
【０００８】
【特許文献１】欧州特許第１０５４７２２号明細書
【特許文献２】米国特許出願公開第２００７／０２８９２９１号明細書
【発明の概要】
【発明が解決しようとする課題】
【０００９】
本発明の目的は、改良された排気ガス後処理システムを提供することにある。本発明の別の目的は、改良された排気ガス後処理システムにて排気ガスを処理するための適切な改良された方法を提供することにある。また別の目的は、改良された排気ガス後処理システムを有する車両を提供することにある。
【課題を解決するための手段】
【００１０】
この目的は、独立請求項に記載されている特徴により達成される。その他の請求項、図面、及び説明が、本発明の有利な実施形態を開示する。
【００１１】
本発明の第１の態様において、燃焼エンジンの下流の排ガス路に配置された、少なくとも１つの触媒材料を有する触媒コンバータ装置を備え、且つ、排ガス中のＮＯｘ含有量を低減するための少なくとも１つの還元剤を供給するための１以上のドージングインタフェースをさらに備えた、排気ガス後処理システムが提供される。前記１以上のドージングインタフェースは、少なくとも１つの活性化材料を前記排ガスに供給するために配置されている。前記活性化材料は、少なくとも所与の温度範囲において、触媒材料の触媒活性を、活性化材料が存在しない場合の前記触媒材料の触媒活性と比較して増大させる。
【００１２】
本発明による利点は、触媒材料を用いての変換率が、活性化材料が存在しない場合の触媒反応と比較して、特に低温状態で増大され、従って、前記触媒材料の活性温度範囲が、活性化材料が存在しない場合よりも排ガス温度に近いことである。本発明による別の利点は、多種多様な触媒材料を用いることができ、これにより、有利にコスト削減することができることである。本発明のさらに別の利点は、アンモニア又は尿素を用いるプロセスに代わる選択的触媒還元プロセスを維持できることである。これにより、車両内に積み込まなければならない還元剤の量を減らすことができ、また、尿素及び／又はアンモニアに代わる物質による、故障しにくいプロセスを用いることができる。さらに、不利なプロセス条件の場合にも、アンモニアの不都合な排出が回避される。
【００１３】
触媒コンバータ装置は、１又は複数の触媒装置（例えば、ＮＯｘ還元触媒）、煤煙除去部品（例えば、触媒又は微粒子フィルタ）、又は、当業者が実現可能な任意の部品及び／若しくは触媒を有することができる。さらに、前記触媒装置は、任意の順番で配置され得る。１つの好都合な配置において、前記ＮＯｘ還元触媒は煤煙触媒の下流に配置される。さらに、１以上のドージングインタフェースが、前記燃焼エンジンの下流に、前記触媒コンバータ装置の上流に、特には、ＮＯｘ還元触媒の上流に配置され得る。さらに、前記１以上のドージングインタフェースは、インジェクタ、ノズル、気化器、噴霧器、及び／又は、当業者が実現可能なその他の任意のインタフェースを含み得る。前記還元剤及び前記活性化材料は、同一のドージングインタフェース又は異なるインタフェースを介して、且つ／又は、混合物として同時に、若しくは、時間的に互いにずらされて付与され得る。特には、前記還元剤及び前記活性化材料は、同一のドージングインタフェースを介して混合物として前記排ガス中に添加され得る。活性化材料の、還元剤に対する比率は、ほぼ０重量％（ｗｔ％）〜ほぼ５０重量％の範囲であり得、極端な場合、上限はほぼ６０重量％（ｗｔ％）又はほぼ７０重量％になり得る。或いは、前記還元剤を前記燃焼エンジンの１以上のシリンダ内に、例えばポストインジェクションにより付与することも可能である。好都合には、前記排ガスに前記活性化材料を投入するための前記ドージングインタフェースは、前記燃焼エンジンの下流の、前記排ガス路上、又は前記排ガス路に配置される。
【００１４】
前記還元剤は、前記活性化材料に対して独立の構成要素である。前記活性化材料は前記触媒材料に作用し、前記活性化材料が存在しない場合の温度と比較して低い温度で前記触媒材料の効率を増大させる。
【００１５】
本発明の好ましい実施形態によれば、前記活性化材料は、少なくとも１つの含酸素炭化水素を含むことができる。好ましくは、前記活性化材料は、１つの含酸素炭化水素から成る。１つの付与プロセスにて加えられる前記活性化材料の量は、前記触媒の温度に依存し得る。同様のことが、前記還元剤の量に関してもあてはまる。一般に、触媒の高温時には、活性化材料はＮＯｘ変換にわずかな影響しかもたらさないが、これは回避できる。同様に、触媒の低温時に、前記還元剤及び／又は前記活性化材料が十分に作用しない場合、前記還元剤及び／又は前記活性化材料は全く注入されないであろう。これらの２つの温度境界間の所定の温度範囲において、還元剤と活性化材料との混合物が最良に作用する。従って、触媒の高温時には、添加する活性化材料の量を、実質的にゼロに減らすことが可能であり、前記温度範囲内の触媒の低温時には、活性化材料の量を実質的に５０重量％に、又は、何らかの極端な場合には、実質的に６０重量％〜７０重量％にまで増やすことが可能である。こうして、前記混合物は、前記触媒の温度に従って好都合に調節される。好都合には、前記活性化材料と前記還元剤とから成る前記混合物の、１回の付与プロセスにて添加される量は、ＮＯｘの量に依存し得る。前記混合物の、前記ＮＯｘの量に対する比率は、重量ベースでほぼ０．１：１〜ほぼ１０：１であり、好ましくは、重量ベースでほぼ０．５：１〜ほぼ５：１であり、特に有利には、重量ベースでほぼ１：１〜ほぼ３：１である。含酸素炭化水素は、当業者に実現可能な任意の凝集状態を有することができ、好ましくは、付与状態において流体である。従って、ドージングインタフェースのための冷却装置を設けてもよい。本発明により、触媒活性及び触媒材料の効率の増大を容易に達成することができる。
【００１６】
本発明の別の好ましい実施形態によれば、前記活性化材料は、エーテルタイプの少なくとも１つの含酸素炭化水素を含み得る。前記含酸素炭化水素は、好ましくは、トリグリム、ジグリム、モノグリム、ジエチルエーテル（ＤＥＥ）、ジプロピルエーテルから成る群から選択されるエーテルである。これらの物質により、公知の特性を有する材料を使用することができる。
【００１７】
本発明のさらに例示的な実施形態において、前記活性化材料は、少なくともトリグリムを含み得る。１回の付与プロセスにて加えられるトリグリムの量は、先に述べたように、前記触媒における排ガスの温度に依存する。従って、取扱い状態及び排ガスへの付与において有利には液体である物質が提供されることができる。さらに、トリグリムは、車両内での保存状態（典型的には、−５０℃〜＋５０℃）においても液体である。従って、前記活性化材料の偶発的な凍結又は結晶化を、車両の動作プロセスのために確実に防止することが可能であろう。その結果、付与装置、例えばドージングインタフェースの閉塞を回避することが可能であろう。さらに、前記活性化材料の凍結などを回避するためのコスト高な加熱装置を省くことも可能である。さらに、トリグリムが液体の状態であるため、還元剤（これもまた液体）との混合物も、生成及び取扱いが容易で且つ効率的である。トリグリムを活性化材料として用いることにより、ＳＣＲプロセスにおいて還元剤及び活性化材料の形態で排ガスに付与されるために必要な物質の量は、尿素水溶液によるＳＣＲと比較して、より少量になり、約５０重量％〜８０重量％までの低減に対応する。
【００１８】
本発明によるさらに別の例示的な実施形態において、前記活性化材料は、インジェクタを介して注入されることができる。これにより、構成的に容易な付与を行うことができる。
【００１９】
別の例示的な実施形態によれば、前記燃焼エンジンはディーゼルエンジンであり得、前記活性化材料及び前記排ガスの作用状態の温度は互いに容易に組み合せられ且つ調節されることができる。従って、本発明の実施形態は、石油又はガソリンエンジンと比較して、より低いディーゼルエンジンの燃焼温度を容易に補償することができる。
【００２０】
本発明の別の実施形態において、ＮＯｘ還元のための還元剤は、少なくとも１つの炭化水素を含み得る。好ましくは、前記還元剤は炭化水素である。これにより、多種多様な物質の適用が可能である。
【００２１】
さらに、前記還元剤が燃料（特にはディーゼル燃料）であり得ることが提案される。前記プロセスは、前記燃料中の炭化水素を用いた選択的触媒還元（ＳＣＲ）として理解されよう。さらに、本発明によれば、（ｉ）トリグリム又は別の類似の化合物と（ｉｉ）車両燃料の炭化水素との混合物を、前記触媒コンバータ装置の前の前記排ガス路内の前記排ガスに加えることが、前記排ガス中のＮＯｘ含有量のさらなる低減を、特に低温状態において補助する。さらに、前記燃料を還元剤として使用することにより、前記活性化材料のために車両への追加搭載が必要なのは小型の容器のみとなる。
【００２２】
有利には、前記活性化材料は、排ガスが、少なくともほぼ２００℃〜５００℃の温度範囲の温度であるとき、前記触媒材料の前記触媒活性を増大させ得る。この温度は、前記活性化材料が存在しない場合と比較して、ほぼ１００℃〜ほぼ２００℃低くてよい。この結果、多種多様な触媒材料を用いることが可能である。
【００２３】
さらに別の例示的な実施形態において、前記触媒コンバータ装置は、少なくとも貴金属を触媒材料として含むことができ、これに関し、公知の確立されている概念を用いることができる。触媒材料として、あらゆる種類の貴金属、例えば、ルテニウム、ロジウム、パラジウム、銀、オスミウム、イリジウム、プラチナ及び金が適切である。好ましくは、ロジウム、パラジウム、プラチナ、金及び銀が利用されよう。
【００２４】
好ましい実施形態において、前記触媒材料は銀であり得る。銀は、銀／アルミナ触媒として付与され得る。従って、低コストの金属を用いることが可能であり、これにより、安価な排気ガス後処理システムの提供が可能であり、そして、これにより、より安価な車両を提供することが可能である。
【００２５】
別の例示的な実施形態によれば、前記排気ガス後処理システムは、フィードバック制御を含み得る。このフィードバック制御は、排ガス中のＮＯｘの量に対して前記排ガスに供給される活性化材料の量を調節する。さらに、前記フィードバック制御は、前記排ガス中のＮＯｘの量に対して前記排ガスに供給される還元剤の量を調節し得る。また、前記フィードバック制御は、活性化材料及び／又は前記還元剤の量の調節における前記排ガス及び／又は前記触媒の温度も含み得る。
【００２６】
さらに、前記排気ガス後処理システムが、前記排ガスに供給される還元剤の量及び活性化材料の量を前記排ガス及び／又は前記触媒の温度に対して、及び、前記排ガス中のＮＯｘの量に対して調節するためのフィードバック制御を含み得ることが提案される。詳細には、活性化材料の、前記還元剤に対する量は、好ましくは、前記排ガス及び／又は前記触媒の温度に応じて調節される。好ましくは、前記フィードバック制御は、ＮＯｘ量及び温度を検知するためのセンサ装置を含むことができる。本発明の実施形態により、高効率の排気ガス後処理システムを提供することができる。
【００２７】
本発明のさらなる態様において、排気ガス後処理システムにおいて排ガスを処理するための方法が提供される。この方法において、還元剤が、燃焼エンジンの排ガス中のＮＯｘ含有量を低減するために提供され、少なくとも１つの活性化材料が前記排ガス中に、前記活性化材料が存在しない場合の触媒活性と比較して少なくとも所与の温度範囲において触媒コンバータ装置の触媒材料の触媒活性を増大させるために加えられる。
【００２８】
従って、触媒材料を用いた変換率が、特には低温状態にて有利に増大され、従って、前記触媒材料の活性温度の範囲が、排ガス温度に、より良好に対応する。さらに、多種多様な触媒材料を有効に用いることが可能であり、これが、有利にコスト削減をもたらす。本発明の別の利点は、アンモニア又は尿素を用いたＳＣＲプロセスの代わりの選択的触媒還元プロセスを用いることができることである。これにより、前記車両に積み込まなければならない還元剤の量を減らすことができ、また、アンモニア又は尿素の代わりの物質を用いることにより、プロセスが故障しにくくなる。
【００２９】
本発明の第３の態様において、車両、特にはトラックに、少なくとも１つの排気ガス後処理システムが設けられる。従って、本発明の排気ガス後処理システムは、非常に高度な技術が要求される分野で展開されることができる。
【００３０】
本発明は、上記の及びその他の目的及び利点と共に、実施形態に関する以下の詳細な説明から最良に理解されよう。しかし、本発明は、概略的に示される実施形態に限定されない。
【図面の簡単な説明】
【００３１】
【図１】燃焼エンジン、及び、本発明による排気ガス後処理システムの例示的な実施形態を有する車両である。
【図２】図１に示した燃焼エンジン及び排気ガス後処理システムの詳細図である。
【図３】３つの異なる実験セットアップの結果を示す例示的なグラフである。
【発明を実施するための形態】
【００３２】
図面中、同等又は類似の要素は等しい参照番号により示す。図面は概略的な表示に過ぎず、本発明の特定のパラメータを表すためのものではない。また、図面は、本発明の典型的な実施形態のみを示すためのものであり、従って、本発明の範囲を限定するものと見なされてはならない。
【００３３】
図１は、燃焼エンジン１８、及び、燃焼エンジン１８の下流の排気ガス後処理システム１０を有する車両４０を概略的に示す。排気ガス後処理システムの例示的な実施形態が図２に詳細に示されている。
【００３４】
排気ガス後処理システム１０は、排ガス路１６又は排ガス管（それぞれ、ディーゼルエンジン３２として具体化されている燃焼エンジン１８の下流にある）に配置された触媒コンバータ装置１２を含む。触媒コンバータ装置１２は、煤煙含有量を低減するための部品（例えば、煤煙低減のための触媒、又は、微粒子フィルタ（図示せず））、及び、ＮＯｘ（窒素酸化物）還元のための、触媒材料１４を含む触媒４２を備えている。触媒材料１４は、銀／アルミナ（Ａｇ／Ａｌ２Ｏ３）触媒中の貴金属銀３６として実現されている。
【００３５】
排気ガス後処理システム１０は、さらに、インジェクタ３０の形態のドージングインタフェース２０を含む。ドージングインタフェース２０は、燃焼エンジン１８の下流であって、触媒コンバータ装置１２の上流に配置されている。さらに、ドージングインタフェース２０又はインジェクタ３０は、それぞれ、ＮＯｘ還元のための還元剤２２を、燃焼エンジン１８から排ガス路１６に沿って触媒コンバータ装置１２へ流れている排ガス２４に供給又は注入する。ＮＯｘ還元のための還元剤２２は、例として、燃料の構成要素である炭化水素である。従って、ＮＯｘ還元のための還元剤２２は車両内にある燃料であり、ディーゼルエンジン３２の場合、これに対応して、ディーゼル燃料３４である。
【００３６】
ディーゼル燃料３４は、インジェクタ３０に接続されたタンク４４に、活性化材料２６との混合物として供給される。従って、ドージングインタフェース２０は、活性化材料２６を排ガス２４に供給するためにも配置される。活性化材料２６は、例として、含酸素炭化水素を含み、これは、この例において、トリグリム２８である。さらに、活性化材料２６は、少なくとも所与の温度範囲において、触媒材料１４の触媒活性を、活性化材料２６が存在しない場合の触媒活性と比較して増大するために配置される。
【００３７】
或いは、還元剤２２及び活性化材料２６は、様々なドージングインタフェース２０，２０ａ，２０ｂを用いて排ガス２４に供給されることも可能である。従って、このような別の実施形態において、タンク４４は、活性化材料２６又はトリグリム２８のみをそれぞれ収容し、活性化材料２６は、ドージングインタフェース２０又はインジェクタ３０を介して注入される。還元剤２２と活性化材料２６とを混合するプロセスは、排ガス２４の存在下で生じる。しかし、還元剤２２はタンク４４ａに保管されており、これは、車両４０（図１）を動作させるためのディーゼル燃料３４のための通常のタンクである。
【００３８】
第１の別の実施形態において、還元剤２２又はディーゼル燃料３４は、それぞれ、ドージングインタフェース２０ａを介して注入される。ドージングインタフェース２０ａは、還元剤２２のポストインジェクションのために、燃焼エンジン１８の少なくとも１つのシリンダ内に配置されている。
【００３９】
第２の別の実施形態において、還元剤２２又はディーゼル燃料３４は、それぞれ、排ガス路１６の排ガス２４中に、ドージングインタフェース２０ｂを介して注入される。ドージングインタフェース２０ｂは、燃焼エンジン１８の下流であって、触媒コンバータ装置１２の上流に配置されている。
【００４０】
第３の別の実施形態において、還元剤２２又はディーゼル燃料３４は、それぞれ、排ガス２４内に、ドージングインタフェース２０ａ及び２０ｂを介して注入される。
【００４１】
さらに、排気ガス後処理システム１０は、センサ及び処理ユニット（詳細に示さず）を有するフィードバック制御３８を含み、制御３８は、触媒材料１４の十分な活性化のために排ガス２４に供給されるべき還元剤２２及び活性化材料２６の量を調節する。活性化材料２６の量と還元剤２２の量との比率を所望の値に調節するために、排ガス２４又は触媒４２の温度が第１のセンサ（図示せず）により測定される。この温度測定結果に応じて、処理ユニット３８が、還元剤２２と活性化材料２６との必要な比率を決定する。還元剤２２と活性化材料２６とによる混合物がタンク４４内で混合及び保存される。従って、この実施形態においては、活性化材料２６の保存のための追加のタンク（図示せず）が必要である。別の実施形態においては、還元剤２２のための保存タンクとしてのタンク４４ａを用いて、還元剤２２と活性化材料２６との混合のプロセスが、排ガス２４が（燃焼エンジン１８のシリンダ及び／又は排ガス路１６の内部に）存在しているときに直接生じる。
【００４２】
還元剤２２と活性化材料２６との混合物から成る所望の又は要求される量は、排ガス２４中のＮＯｘの量に依存し、この量は、第２のセンサ（図示せず）により検出される。従って、処理ユニット３８が、還元剤２２と活性化材料２６との混合物の必要量、及び、前記混合物の組成を、測定されたＮＯｘ量に基づいて計算する。インジェクタ３０を介して排ガス２４に注入される、還元剤２２と活性化材料２６との混合物は、ＮＯｘ量に対して、重量ベースで、約１：１〜３：１の範囲の比率を有する。
【００４３】
また、混合物中の活性化材料２６は、排ガス２４の温度がほぼ２００℃〜５００℃の温度範囲にあるとき（図３も参照）、触媒コンバータ装置１２の触媒材料１４の触媒活性又は能力を高める。従って、触媒材料１４は、ほぼ２５０℃よりも低い温度でも動作可能である。従って、排ガス２４中に供給される還元剤２２、又は、ディーゼル燃料３４中の炭化水素が、それぞれ、排ガス２４中のＮＯｘの量を低減するための選択的触媒還元（ＳＣＲ）を行うことができる。従って、少量のトリグリム２８の添加により、変換率は、銀／アルミナベースの触媒４２よりも、特に、排ガス２４及び／又は触媒４２の低温時に増大し、そのため、触媒４２の活性温度範囲は、排ガス温度により良好に対応することになる。
【００４４】
図３は、３つの異なる添加物の添加による排気ガス後処理システムの３つの異なる実験セットアップの結果をグラフで示す。これらの添加物は、炭化水素（グラフＣ１）、エーテル（グラフＣ２）、及び、炭化水素とエーテルとの混合物（例えば、２０重量％；グラフＣ３）である。ｙ軸はＮＯｘ変換率を示し、ｘ軸に温度が℃で示されている。グラフＣ１（測定点がダイヤモンド形）は、還元剤２２のみを添加したセットアップを示す。グラフＣ２（測定点が三角形）は、活性化材料２６のみを添加したセットアップの結果を示す。グラフＣ３（測定点が正方形）は、還元剤２２と活性化材料２６との混合物を添加したセットアップの結果を示す。
【００４５】
図３の、炭化水素を用いたセットアップに関するグラフ（ダイヤモンド形；グラフＣ１）に見られるように、約３５０℃〜４００℃よりも低温の状態では、ＮＯｘ変換率は、ほぼゼロである。エーテルのみを加えた場合（三角形；グラフＣ２）、ＮＯｘ変換率は、約２００℃〜５５０℃の温度範囲全体にわたって比較的低い。炭化水素とエーテルとの混合物（本発明による還元剤２２と活性化材料２６との混合物の代表）を添加した場合（正方形；グラフＣ３）のみ、効率的なＮＯｘ変換のための温度閾値が、より低い温度値（約２５０℃）に向かってシフトされることができ、効率的なＮＯｘ変換を、約２５０℃〜５５０℃の広い温度範囲にわたって可能にする。従って、活性化材料２６は、少なくとも所与の温度範囲において、触媒材料１４の触媒活性を、活性化材料２６が存在しない場合の触媒活性と比較して増大させる（グラフＣ１及びグラフＣ３にてダイヤモンド形及び正方形の進行により明確に示されているように）。
【００４６】
本発明は、故障しにくいシステムをもたらす改良された排気ガス後処理システムを提供することができる。
【符号の説明】
【００４７】
１０  排気ガス後処理システム
１２  触媒コンバータ装置
１４  触媒材料
１６  排ガス路
１８  燃焼エンジン
２０，２０ａ，２０ｂ  ドージングインタフェース
２２  還元剤
２４  排ガス
２６  活性化材料
２８  トリグリム
３０  インジェクタ
３２  ディーゼルエンジン
３４  ディーゼル燃料
３６  貴金属銀
３８  フィードバック制御
４０  車両
４２  触媒
４４，４４ａ  タンク
【図１】
0005930493.tif 000002
【図２】
0005930493.tif 000003
【図３】
0005930493.tif 000004